(57)【要約】【課題】  タンク，ポンプ等の設備を省略でき、既存の浴室内で良好に口腔洗浄が可能となるシャワー装置を提供する。【解決手段】  浴室のサーモスタット水栓に接続されたハンドシャワー７のヘッド部が着脱可能に構成され、通常のヘッド部と交換して、口腔洗浄用ノズル７１ｃを備えたヘッド部７１が取り付けられる。【選択図】  図３
2005074177.tif 000002
【特許請求の範囲】
【請求項１】
浴室のサーモスタット水栓に接続されたハンドシャワーのヘッド部が着脱交換可能に構成され、口腔洗浄用ノズルを備えたヘッド部が着脱可能であることを特徴とするシャワー装置。
【請求項２】
浴室のサーモスタット水栓に接続されたハンドシャワーには、口腔洗浄用ノズルが設けられているとともに、該口腔洗浄用ノズルへの流路と、通常のシャワー散水用の流路とを切替可能な切替手段が設けられていることを特徴とするシャワー装置。
【請求項３】
前記口腔洗浄用ノズルから噴出される洗浄水中に、研磨用砥粒剤を注入させることのできる研磨用砥粒剤の槽を、前記サーモスタット水栓の下流側に設けたことを特徴とする請求項１または請求項２に記載のシャワー装置。
【請求項４】
前記口腔洗浄用ノズルを備えたヘッド部を収納可能な殺菌作用のある収納ケースを併設可能に構成したことを特徴とする請求項１に記載のシャワー装置。
【発明の詳細な説明】
【技術分野】
【０００１】
本発明は、良好に口腔洗浄ができるシャワー装置に関するものである。
【背景技術】
【０００２】
従来、砥粒を分散させた懸濁液をジェット水流として噴出させて口腔洗浄することができる装置が存在する。
【特許文献１】特開平８−１２６６５１号公報
【特許文献２】特開平５−１２３２６４号公報
【発明の開示】
【発明が解決しようとする課題】
【０００３】
上記従来の構造では、砥粒を懸濁させるタンクが必要になり、また圧力を発生させるための増圧装置が必要となるという問題点があった。
【課題を解決するための手段】
【０００４】
本発明は上記従来の問題点に鑑み案出したものであって、タンクやポンプ等が不要であり、良好に口腔洗浄ができるシャワー装置を提供せんとするものであり、請求項１は、浴室のサーモスタット水栓に接続されたハンドシャワーのヘッド部が着脱交換可能に構成され、口腔洗浄用ノズルを備えたヘッド部が着脱可能であることである。
【０００５】
また、請求項２は、浴室のサーモスタット水栓に接続されたハンドシャワーには、口腔洗浄用ノズルが設けられているとともに、該口腔洗浄用ノズルへの流路と、通常のシャワー散水用の流路とを切替可能な切替手段が設けられていることである。
【０００６】
また、請求項３は、前記口腔洗浄用ノズルから噴出される洗浄水中に、研磨用砥粒剤を注入させることのできる研磨用砥粒剤の槽を、前記サーモスタット水栓の下流側に設けたことである。
【０００７】
また、請求項４は、前記口腔洗浄用ノズルを備えたヘッド部を収納可能な殺菌作用のある収納ケースを併設可能に構成したことである。
【発明の効果】
【０００８】
本発明は、浴室のハンドシャワーに、口腔洗浄用ノズルを備えたヘッド部が着脱可能であることにより、ハンドシャワーのヘッド部を、口腔洗浄用ノズルを備えたヘッド部に交換して、この口腔洗浄用ノズルから洗浄水を噴出させて、良好に口内洗浄を行うことができ、従来のようにタンク，ポンプ等の電気設備を省略することができて、家庭内に来ている水圧のみで良好に口腔洗浄ができるものとなる。
また、浴室内で口腔洗浄が行えるものであり、水が飛散しても浴室内であるため、良好な使用状態が得られるものとなる。
【０００９】
また、浴室のハンドシャワーには、口腔洗浄用ノズルが設けられ、口腔洗浄用ノズルへの流路と、通常のシャワー散水用の流路とを切替可能な切替手段が設けられていることにより、ハンドシャワーのスイッチを切り替えることで、良好に口腔洗浄用ノズルから洗浄水を噴出させて口腔洗浄を行うことができ、通常の入浴行為の流れの中で、浴室内で簡易に口腔洗浄ができるものとなる。
【００１０】
また、研磨用砥粒剤の槽を、サーモスタット水栓の下流側に設けたことにより、歯磨き粉等の研磨用砥粒剤を懸濁させ口腔洗浄に利用することができ、より効果的な口腔洗浄が可能となる。
【００１１】
また、口腔洗浄用ノズルを備えたヘッド部を収納可能な、殺菌作用のある収納ケースを併設可能に構成したことにより、口腔洗浄用ノズルを備えたヘッド部を良好に収納して、内部に設けた紫外線や洗浄液等を利用して、ヘッド部を良好に殺菌することができ、ヘッド部を衛生的に保つことができるものとなる。
【実施例】
【００１２】
以下、本発明の実施例を図面に基づいて説明する。
図１は、浴室内の斜視構成図であり、浴室１内の洗い場２側の壁面３には、鏡４の下方に、サーモスタット水栓５が設けられており、このサーモスタット水栓５からホース６が引き出されて、ホース６の先端にはハンドシャワー７が設けられている。
なお、ハンドシャワー７は、壁面３に設けられたシャワーフック８に保持されている。
【００１３】
図２は、水栓５とハンドシャワー７を拡大した構成図であり、ハンドシャワー７は、手で握ることのできる握り部７ａの上端に、着脱可能にヘッド部７ｂが設けられて構成されている。
また、サーモスタット水栓５の出口側には、活性炭フィルター９が設けられており、この活性炭フィルター９内を通すことで、水道水中の塩素等の物質を良好に除去できて、人体に優しい水をホース６を通してハンドシャワー７に供給できるように構成されている。
なお、サーモスタット水栓５には水道水が所定の水圧で供給されており、サーモスタット水栓５内のサーモスタットを介して、良好に湯水を混合して、適温の湯とすることができるものである。
【００１４】
本例では、ハンドシャワー７のヘッド部７ｂを握り部７ａから取り外して、図３のようなヘッド部７１に交換することができるものであり、図３のヘッド部７１は、握り部７ａに着脱できる着脱基部７１ａから、上方へ延出されて、延出流路部７１ｂが一体形成されており、延出流路部７１ｂの上端には、直線的に洗浄水を噴出させることのできる口腔洗浄用ノズル７１ｃが設けられている。
このように、浴室１内で、ハンドシャワー７のヘッド部７ｂを、図３のようなヘッド部７１に交換することで、このヘッド部７１の口腔洗浄用ノズル７１ｃから洗浄水を噴出させて、良好に浴室１内で口腔洗浄を行うことができるものとなる。
【００１５】
なお、サーモスタット水栓５に来ている水圧のみを利用して、良好に口腔洗浄用ノズル７１ｃから直線的な洗浄水を噴出させることができ、従来のようなタンクやポンプの設備を省略することができるものであり、浴室１内の従来の設備を利用して、良好に浴室内で口腔洗浄が行え、浴室内であるため、水が飛び散っても問題がないものとなる。
【００１６】
なお、図３において、握り部７ａの上端と、ヘッド部７１の着脱基部７１ａ間に、研磨用砥粒剤の槽１０を設けておくことができ、このような研磨用砥粒剤の槽１０を設けておけば、例えば、歯磨き粉等の研磨用砥粒剤が懸濁されて、ヘッド部７１内へ流れる洗浄水中に良好に歯磨き粉等を注入することができ、歯磨き粉等が含まれた洗浄水が口腔洗浄用ノズル７１ｃから噴出されるため、より効果的な口腔洗浄が可能となる。
なお、このような研磨用砥粒剤の槽１０は、サーモスタット水栓５の下流側の流路内の何れかの位置に設けておくことができるものである。
【００１７】
次に、図４は変更例を示すものであり、図４に示すハンドシャワー７においては、シャワー散水部７ｃと、その中央部に口腔洗浄用ノズル７ｄが設けられており、上面には切替スイッチ７ｅが設けられている。
このハンドシャワー７においては、シャワー散水部７ｃから通常のシャワー散水を行うことができ、また、切替スイッチ７ｅを口腔洗浄用ノズル７ｄ側へ切り替えることにより、口腔洗浄用ノズル７ｄから直線的な洗浄水を噴出させることができるものである。
【００１８】
このようなハンドシャワー７を、浴室１のサーモスタット水栓５に接続して設けておけば、シャワー散水部７ｃからシャワー水を噴出させて、浴室内で洗髪等を行うことができ、また、切替スイッチ７ｅを切り替えて、口腔洗浄用ノズル７ｄから洗浄水を噴出させて、良好に口腔洗浄を行うことができ、通常の浴室内の入浴行為等の流れの中で簡単に口腔洗浄ができるものとなる。
【００１９】
なお、図５は、浴室１の壁面３に設置された収納ケースの斜視図であり、収納ケース１１は、上面部１１ａと底面部１１ｂを備え、前面には、横方向に開閉可能に開閉扉１１ｃが設けられて構成されており、内部には、紫外線ランプ１２が設けられている。
この収納ケース１１の底面部１１ｂ上に、例えば家族の各個人用のヘッド部７１，７１を複数本収納させておくことができ、収納状態において、紫外線ランプ１２による殺菌作用により、複数のヘッド部７１，７１を常に衛生的に保持することができ、必要に応じ収納ケース１１の開閉扉１１ｃを開けてヘッド部７１を取り出し、図３に示すように、ハンドシャワー７に取り付けて、口腔洗浄に使用できるものである。
なお、収納ケース１１は、紫外線ランプ１２を設ける他に、洗浄液等を利用して内部を殺菌できるような構成にしておくことができるものである。
【図面の簡単な説明】
【００２０】
【図１】浴室内の斜視構成図である。
【図２】サーモスタット水栓とハンドシャワーの拡大概略斜視構成図である。
【図３】口腔洗浄用ノズルを備えたヘッド部を取り付けたハンドシャワーの斜視構成図である。
【図４】シャワー散水部と、中央部に口腔洗浄用ノズルを備えたハンドシャワーの斜視構成図である。
【図５】浴室内に設置される収納ケースの収納状態の斜視構成図である。
【符号の説明】
【００２１】
１  浴室
２  洗い場
３  壁面
５  サーモスタット水栓
６  ホース
７  ハンドシャワー
７ａ  握り部
７ｂ  ヘッド部
７ｃ  シャワー散水部
７ｄ  口腔洗浄用ノズル
７ｅ  切替スイッチ
９  活性炭フィルター
１０  研磨用砥粒剤の槽
１１  収納ケース
１１ａ  上面部
１１ｂ  底面部
１１ｃ  開閉扉
１２  紫外線ランプ
７１  ヘッド部
７１ａ  着脱基部
７１ｂ  延出流路部
７１ｃ  口腔洗浄用ノズル
【図１】
2005074177.tif 000003
【図２】
2005074177.tif 000004
【図３】
2005074177.tif 000005
【図４】
2005074177.tif 000006
【図５】
2005074177.tif 000007